(57)【要約】      （修正有）【課題】奥歯での強い刷掃実感と、臼歯咬合面の小窩裂溝および臼歯歯間部などの狭い部位に対する毛先進入性とを両立させた歯ブラシを提供する。【解決手段】ヘッド部１の植毛面３における先端部領域Ｘに穿設された第１の植毛穴４を、先端部領域Ｘを除く領域に穿設された第２の植毛穴５よりも小さく、直径が０．８〜１．４ｍｍの範囲にあり、先端部領域Ｘの植密度をρＸとし、先端部領域Ｘを除く領域Ｙの植密度をρＹとし、植密度比をＲ（＝ρＸ/ρＹ）としたときに、１．１≦Ｒ≦２．５の関係を満足する。【選択図】図３
0003132251.tif 000002
【実用新案登録請求の範囲】
【請求項１】
植毛面に複数の植毛穴が設けられたヘッド部を備え、この植毛面の各植毛穴に刷毛の毛束が植毛されてなる歯ブラシであって、
前記植毛面には先端部領域が設けられ、この先端部領域は、前記ヘッド部植毛面の最外周部に穿設された植毛穴よりも内側の領域、且つ、前記ヘッド部植毛面の中央よりも先端側に偏倚した位置にあり、
前記先端部領域に穿設された植毛穴は、前記先端部領域を除く領域に穿設された植毛穴よりも小さく、直径が０．８〜１．４ｍｍの範囲にあり、
前記先端部領域の植密度をρＸとし、前記先端部領域を除く領域の植密度をρＹとし、植密度比をＲ（＝ρＸ/ρＹ）としたときに、
１．１≦Ｒ≦２．５
（但し、５０％≦ρＸ≦７０％、３０％≦ρＹ≦６０％、［植密度］＝［該当する領域における植毛穴の横断面積の総和］÷［該当する領域の総面積］×１００［％］）
の関係を満足することを特徴とする歯ブラシ。
【請求項２】
前記ヘッド部の長手方向において、前記先端部領域の長さをＬ１とし、前記先端部領域よりも後端側位置する後端部領域の長さをＬ２としたときに、その長さの比ＲＬ（＝Ｌ１/Ｌ２）が、
０．５≦ＲＬ≦１．０
の関係を満足することを特徴とする請求項１に記載の歯ブラシ。
【請求項３】
前記先端部領域における毛切り形状が、前記ヘッド部の長手方向において一条の山部を形成するように毛束の先端を剪定した山切り形状を有し、
前記先端部領域を除く領域における毛切り形状が、前記山部を形成する毛束の最短の毛丈に合わせて毛束の先端を平らに剪定した平切り形状を有することを特徴とする請求項１または２記載の歯ブラシ。
【考案の詳細な説明】
【技術分野】
【０００１】
本考案は、口腔清掃具である歯ブラシに関し、詳しくは、奥歯での歯垢除去効果を向上させた歯ブラシに関するものである。
【背景技術】
【０００２】
口腔内清掃具である歯ブラシにおいて、最も必要な品質である歯垢除去効果を高めるために、従来から、刷毛を束ねた毛束のヘッド部への配列や毛束の毛切り形状などに工夫がなされてきた。最も基本的な歯ブラシの毛束の植設は、ヘッド部の植毛面に、均一な直径の植毛穴が設けられ、毛束がほぼ規則正しく碁盤目状あるいは千鳥状に配列されており、毛束の先端が平らに剪定された平切り形状である。一方、複雑な形状の口腔内に合わせて、より清掃効果を高める工夫として、植毛穴径や植密度に変化を持たせて特定のパターンで配した歯ブラシや、毛束の毛切り形状を工夫した歯ブラシなどが知られている。
【０００３】
特に、う蝕罹患率が高い奥歯での歯垢除去効果向上のため、一般に歯ブラシのヘッド部先端の毛腰を強化した仕様が開発されている。この仕様の具体例として、ヘッド部先端の用径または植毛穴径を後端部より大きくし、個々の毛束の毛腰を強化し、強い刷掃実感を得るものなどがある（例えば、特許文献１〜５を参照）。
【０００４】
具体的に、特許文献１には、ヘッド部の丸みを帯びた先端の植毛穴径を他の部分の植毛穴径より大きくした歯ブラシが記載されている。
また、特許文献２には、先端部の植毛パターンを植密度の高い略円形状にし、先端部の台を後端部の台よりも高くしてヘッド部厚を段差状にした歯ブラシが記載されている。
また、特許文献３には、ヘッド部の前端部分と後端部分の植毛穴径を大きくし、前端部分と後端部分に挟まれた中央部分の植毛穴径を小さくした歯ブラシが記載されている。
また、特許文献４には、全ての植毛穴径を小さくして、先端部・中央部・後端部の順に植毛穴の密度を高くし、刷毛も段階的に前傾させた歯ブラシが記載されている。
また、特許文献５には、ヘッド部先端の略Ｕ字型の部分の植毛穴径を大きくし、その略Ｕ字型で囲まれた先端中央部分の植毛穴径を小さくした歯ブラシが提案されている。
【０００５】
しかしながら、特許文献１に記載の歯ブラシでは、ヘッド部の丸みを帯びた先端の植毛穴径を他の部分の植毛穴径より大きくし、先端部の毛腰の強化することで刷掃実感は得られるが、当該領域の毛束がしなりにくいため、歯間、歯頚部などの狭いスポットに毛先が入りにくい。
特許文献２に記載の歯ブラシでは、先端部の植毛パターンを植密度の高い略円形状にすることで、先端部の毛腰の強化を図っているが、穴径に対する記載がなく、植密度を後端部よりも高くするだけでは、耐久性や弾力性は向上しても、毛先の細部進入性は向上しない。さらに、ヘッド部厚を段差状にして先端部の台を後端部の台よりも高くし、先端部の毛腰を高くしているため、先端部の毛丈は短くなり毛束が一層しなりにくくなるので、毛先の細部進入性が更に低下すると考えられる。
特許文献３および特許文献５に記載の歯ブラシでは、先端部の大穴仕様により、奥歯の強い刷掃実感は得られるが、毛束のしなりが粗雑になり臼歯咬合面の小窩裂溝など細部には毛先が届きにくい。細部に毛先を到達させるためには、先端部の毛束をたわませる必要があるため、高めのブラッシング圧を要する。
特許文献４に記載の歯ブラシでは、先端部・中央部・後端部の順に植毛穴の密度を高くし、刷毛も段階的に前傾させて奥歯に毛先を届きやすくしているが、全ての植毛穴径を小さくしているため、刷掃実感および植毛部耐久性の著しい低下が予想される。
【特許文献１】実開平３−７２７２０号公報
【特許文献２】特開２０００−１７５７４２号公報
【特許文献３】特開２０００−１７５７４４号公報
【特許文献４】特開２００３−９９５１号公報
【特許文献５】特願２００６−０５２０４９
【考案の開示】
【考案が解決しようとする課題】
【０００６】
上述のように、歯ブラシのヘッド部先端の毛腰を強化した仕様では、奥歯に対して強い刷掃実感は得られても毛束がしなりにくく、臼歯咬合面の小窩裂溝および臼歯歯間部など狭い部位において毛先が届きにくいなど、清掃効果には課題があった。逆に、細部進入性を図るために、植毛穴径を小さくすると、奥歯の刷掃実感が弱まったり、刷毛の耐久性が低下したりするなどの問題が生じてしまう。
【０００７】
本考案は、上記事情に鑑みてなされたものであり、臼歯咬合面の小窩裂溝および臼歯歯間部などの狭い部位に対する毛先進入性と、奥歯での強い刷掃実感とを両立させた歯ブラシを提供することを目的とする。
【課題を解決するための手段】
【０００８】
上記課題を解決するために、本考案の請求項１に係る歯ブラシは、植毛面に複数の植毛穴が設けられたヘッド部を備え、この植毛面の各植毛穴に刷毛の毛束が植毛されてなる歯ブラシであって、前記植毛面には先端部領域が設けられ、この先端部領域は、前記ヘッド部の最外周部に穿設された植毛穴の内側、且つ、前記ヘッド部の中央よりも先端側に偏倚した位置にあり、前記先端部領域に穿設された植毛穴は、前記先端部領域を除く領域に穿設された植毛穴よりも小さく、直径が０．８〜１．４ｍｍの範囲にあり、前記先端部領域の植密度をρＸとし、前記先端部領域を除く領域の植密度をρＹとし、植密度比をＲ（＝ρＸ/ρＹ）としたときに、
１．１≦Ｒ≦２．５
（但し、５０％≦ρＸ≦７０％、３０％≦ρＹ≦６０％、［植密度］＝［該当する領域における植毛穴の横断面積の総和］÷［該当する領域の総面積］×１００［％］）
の関係を満足することを特徴とする。
【０００９】
この請求項１に係る歯ブラシによれば、臼歯に毛先が届きやすいヘッド部先端部において、刷毛の毛束を小径にすることで毛束が適度にしなり、う蝕になりやすい臼歯の小窩裂溝に毛先が到達しやすくなる。また、最外周の植毛穴径は小径にしないことで、該仕様によって生じ得る先端部の耐久性低下を抑制することができる。さらに、小径領域の植密度を大きくすることで、奥歯で低下しがちな刷掃実感を力強いものとし、なお且つ、しなやかな毛先実感を得ることができる。また、後端部の植密度を先端部よりも低くすることで、前記後端部の毛束が適度に深くたわみ、ヘッド部先端部を用いて奥歯を磨く際に後端部の毛束が障害にならないといった利点がある。
【００１０】
また、本考案の請求項２に係る歯ブラシは、前記ヘッド部の長手方向における前記先端部領域の長さをＬ１とし、前記先端部領域よりも後端側位置する後端部領域の長さをＬ２としたときに、その長さの比ＲＬ（＝Ｌ１/Ｌ２）が、
０．５≦ＲＬ≦１．０
の関係を満足することを特徴とする。
【００１１】
この請求項２に係る歯ブラシによれば、先端部領域が臼歯咬合面一歯分の長さに相当させることで、一歯ずつ丁寧に奥歯を磨くことができる。
【００１２】
また、本考案の請求項３に係る歯ブラシは、先端部領域における毛切り形状が、ヘッド部の長手方向において一条の山部を形成するように毛束の先端を剪定した山切り形状を有し、前記先端部領域を除く領域における毛切り形状が、前記山部を形成する毛束の最短の毛丈に合わせて毛束の先端を平らに剪定した平切り形状を有することを特徴とする。
【００１３】
この請求項３に係る歯ブラシによれば、前記先端部領域の毛束の毛丈が、それ以外の領域の毛束の毛丈よりも長く、かつ山切り形状を有することで、臼歯咬合面のくぼみにフィットし、臼歯遠心面にも効率良く毛先が到達することが可能になる。
【考案の効果】
【００１４】
以上のように、本考案の歯ブラシによれば、臼歯に毛先が届きやすいヘッド部の先端部領域において、刷毛の毛束を小径にすることで良好な毛束のしなり感を確保し、臼歯咬合面の小窩裂溝および臼歯歯間部などの狭い部位に対する毛先進入性を有しながら、且つ、先端部領域における小径の植毛穴を密にすることで、先端部の強い刷掃実感をも両立させた歯ブラシが実現できる。また、最外周の植毛穴径は普通径にすることで、該仕様によって生じ得る先端部の耐久性低下を抑制することができる。
【考案を実施するための最良の形態】
【００１５】
以下、本考案の歯ブラシの実施形態について、図面を参照して説明する。
図１は、本考案の実施形態である歯ブラシにおける植毛面を示す平面図であり、図２は図１に示す本考案の歯ブラシの植毛面を示す側面図である。
【００１６】
本考案の歯ブラシは、図１および図２に示すように、ヘッド部１と、このヘッド部１と首部２を介して連結されたハンドル部（図示せず）とを備えている。ヘッド部１には、複数の植毛穴を穿設した植毛面３が設けられ、各植毛穴には刷毛を束ねた毛束が各植毛穴の大きさに合わせて植設されている。
【００１７】
具体的に、植毛面３には先端部領域Ｘが設けられている。この先端部領域Ｘは、植毛面３の最外周部に穿設された植毛穴よりも内側の領域、且つ、植毛面３の中央よりも先端側に偏倚した位置にある。また、植毛面３には、先端部領域Ｘ以外の領域Ｙが設けられている。
図３に示すように、先端部領域Ｘには第1の植毛穴４が複数設けられ、先端部領域Ｘ以外の領域Ｙには、第１の植毛穴４よりも大径とされた第２の植毛穴５が複数設けられている。第1の植毛穴４には第１の毛束６が植設され、第２の植毛穴５には第２の毛束７が植設されている。
【００１８】
ヘッド部１は、厚みが例えば２〜６ｍｍ程度に形成されればよく、ハンドル部は刷掃最適な形状に形成されていればよい。
ヘッド部１と首部２およびハンドル部は、例えば硬質樹脂による一体成形により形成されるのが一般的であるが、組み立て式であってもよく、ハンドル部にはさらに、エラストマーなどの柔軟な樹脂を部分的にあるいは全体に形成し、把持性を向上させてもよい。
【００１９】
ヘッド部１と首部２およびハンドル部の形成素材は、特に限定されないが、具体的に例示すれば、熱可塑性樹脂として、曲げ弾性率５００〜３０００ＭＰａ（ＪＩＳ  Ｋ７２０３またはＫ７１７１準拠）のものが好ましく、ポリオレフィン（ポリプロピレン、ポリエチレンなど）、ポリエステル（ポリエチレンテレフタレート、ポリブチレンテレフタレート、ポリトリメチレンテレフタレートなど）、ポリカーボネート（ポリエステルとのブレンドを含む）、ポリアリレート（ポリエステルとのブレンドを含む）、ポリオキシメチレン樹脂、ＡＳ樹脂、ＡＢＳ樹脂、セルロースプロピオネート、ポリアミド（ナイロン）、ポリウレタン、ＰＭＭＡ樹脂などの材料を用いることができるが、価格や加工性の点からポリプロピレンが好ましい。
【００２０】
また、透明性を重視する場合には、例えば、米国イーストマン社ポリエステルの一種であるＰＣＴＡ樹脂がコストや耐歯磨剤性の点から好ましい。また、これらの樹脂同士や熱可塑性エラストマー（オレフィン系、スチレン系、ポリエステル系、ウレタン系、ナイロン系など）、シリコン樹脂などと組み合わせ、ハンドル部やヘッド部に色の変化を持たせた多色成形ハンドルとすることも好ましい。
【００２１】
先端部領域Ｘの形状は、特に限定されないが、円形や楕円形などの略円形状が好ましい。三角形や正方形、その他の多角形であってもよいし、直線および曲線を任意に組み合わせた不定形としてもよい。
【００２２】
第1の植毛穴４は、毛束のしなり感、小窩裂溝など細部への毛先侵入性を維持するために、直径が０．８〜１．４ｍｍの範囲であり、好ましくは１．０〜１．３ｍｍの範囲である。０．８ｍｍ未満であると小さすぎて、毛束径間の使用感等の差が大きくバランスが悪くなり、良好な使用感や刷掃効果が得られなくなると同時に、先端部領域Ｘの刷掃実感および第１の毛束６の耐久性の低下にもつながる。一方、１．４ｍｍを超えると大きすぎて、第１の毛束６と第２の毛束７とで使用感等の差がなくなってしまうし、第１の毛束６は細部まで毛先が届くような繊細なしなり感も損なわれる。
第２の植毛穴５の直径は１．２〜２．２ｍｍの範囲であり、好ましくは１．４〜２．０ｍｍの範囲である。１．４ｍｍ以下であると、第１の毛束６と第２の毛束７とでの使用実感の差がなくなり、また、植毛領域全体としての毛腰強度が低下し、奥歯磨きとしての良好な刷掃実感が欠ける。一方、２．０ｍｍを超えると、毛束のしなり感が低下し、粗雑な使用感になる。
【００２３】
植毛面３において、毛束の植毛されている領域の全体の植毛面積Ｓ（ＪＩＳ  Ｓ  ３０１６：植毛面積）は、子供用では小さく、大人用では大きくなるが、一般的には０．５ｃｍ２ 程度から３ｃｍ２ 程度とされている。また、ヘッド部１の大きさについても、一般的には毛束が植毛されている領域（植毛面積Ｓ）の周囲に、縁幅０．５〜１ｍｍ程度を加えた大きさとされている。
先端部領域Ｘの総面積をＳＸ、領域Ｙの総面積をＳＹとすると、ＳＹは下記数式（１）により求められる。
ＳＹ＝Ｓ−ＳＸ・・・（１）
これらの値に基づき、各領域における「植密度」を求める。
【００２４】
「植密度」とは、一般的な植毛方法である平線方式の植毛による歯ブラシを想定した時に、毛束が配されている植毛面の特定領域の「植毛面積」を、その領域内の外周の植毛毛束の外側を直線で結んだ面積（ＪＩＳ  ３０１６準拠）として表し、その植毛面積の中にある「毛束の占める面積の総和」との比である。
つまり、「植密度」の計算は、下記数式（２）により求められる。
［植密度］＝［該当する領域における植毛穴の横断面積の総和］÷［該当する領域の総面積］×１００［％］・・・（２）
なお、「該当する領域の総面積」とは、当該領域中の最外周植毛穴の各外側の接線を結んだ領域面積を示す。
「植密度」が大きいと、植毛穴が小径であってもその植毛穴の毛束は毛腰が強く、「植密度」が小さいと、植毛穴が大径であっても植毛穴の毛束は毛腰が弱い。
【００２５】
先端部領域Ｘの植密度をρＸ、領域Ｙの植密度をρＹとすると、ρＸ、ρＹは下記数式（３）、（４）により求められる。
ρＸ＝「第1の植毛穴４の横断面積の総和」÷ＳＸ×１００［％］・・・（３）
ρＹ＝「第２の植毛穴５の横断面積の総和」÷ＳＹ×１００［％］・・・（４）
各領域における植密度の範囲は、５０％≦ρＸ≦７０％、３０％≦ρＹ≦６０％であって、好ましくは５５％≦ρＸ≦６５％、３５％≦ρＹ≦５５％の範囲である。
ρＸが５０％未満であると、先端部領域Ｘを用いた奥歯での刷掃実感が低下し、一方、７０％を超えると、ヘッド部１の強度が低下する。
ρＹが３０％未満であると疎毛感が生じ、植毛領域全体としての毛腰、口腔内全体の操作性が低下する。一方、６０％を超えると先端部領域Ｘとそれ以外の領域Ｙとの特徴の差がなくなり、先端部領域Ｘでの刷掃実感が低下し、また、先端部領域Ｘを用いて磨く際にそれ以外の領域Ｙにおける第２の毛束７が障害になる。
【００２６】
先端部領域Ｘと領域Ｙの植密度比Ｒは、下記数式（５）によって求められる。
Ｒ＝ρＸ/ρＹ・・・（５）
先端部領域Ｘの植密度ρＸを、領域Ｙの植密度ρＹよりも高くするために、植密度比Ｒは、１．１≦Ｒ≦２．５の範囲とする。１．２≦Ｒ≦２．３の範囲であることが好ましく、より好ましくは１．５≦Ｒ≦２．０の範囲である。この範囲において、臼歯遠心面などを刷掃する際に、先端部毛束のしなやかな動きと刷掃実感の両立が可能となる。
植密度比Ｒが２．５を超える場合は、相対的に前記先端部領域Ｘの毛腰が強すぎるか、もしくは領域Ｙの毛腰が弱すぎるために、ヘッド部１の前後における刷掃実感の調和がとれず、口腔内全体を磨く場合において操作性の低下が生じる場合がある。一方、この植密度比Ｒが１．１未満であると、前後端の刷掃実感が同等となるため、ヘッド部１の先端で磨く奥歯磨き用歯ブラシとしての特徴が活かされない。
【００２７】
以上のように、本発明の歯ブラシでは、臼歯に毛先が届きやすいヘッド部１の先端部領域Ｘにおいて、第１の毛束６を小径にすることで第１の毛束６が適度にしなり、う蝕になりやすい臼歯の小窩裂溝に毛先が到達しやすくなる。
また、最外周の植毛穴は小径にせず第２の毛穴５を用いることで、該仕様によって生じ得る先端部領域Ｘの耐久性低下を抑制することができる。さらに、小径である第１の毛穴４を用いた先端部領域Ｘの植密度ρＸを大きくすることで、奥歯で低下しがちな刷掃実感を力強いものとし、なお且つ、しなやかな毛先実感を得ることができる。
また、先端部領域Ｘ以外の領域Ｙの植密度ρＹを先端部領域Ｘの植密度ρＸよりも低くすることで、先端部領域Ｘ以外の領域Ｙにおける第２の毛束７が適度に深くたわみ、ヘッド部１の先端部領域Ｘを用いて奥歯を磨く際に先端部領域Ｘ以外の領域Ｙにおける第２の毛束７が障害にならないといった利点がある。
【００２８】
先端部領域Ｘのヘッド部１の長手方向における長さをＬ１とし、先端部領域Ｘよりも後端側位置する後端部領域の長さをＬ２としたときに、その長さの比は下記数式（６）で求められる。
ＲＬ＝Ｌ１/Ｌ２・・・（６）
ＲＬは、０．５≦ＲＬ≦１．０の範囲であることが好ましい。より好ましくは０．６≦ＲＬ≦０．８である。
ＲＬが０．５未満であると、臼歯に届きやすい先端部領域Ｘの特徴実感がなくなり、一方、１．０を超えると先端部領域Ｘと後端部領域のバランスが悪く、口腔内全体の操作性が低下する。
【００２９】
以上のように、本発明の歯ブラシでは、先端部領域Ｘが臼歯咬合面一歯分の長さに相当させることで、一歯ずつ丁寧に奥歯を磨くことができる。
【００３０】
なお、植毛面積や毛束の面積を取り扱うにあたっては、通常用いられている平線による植毛方式による歯ブラシであれば、ヘッド部１の植毛面３に開口した第1の植毛穴４、第２の植毛穴５を基準に測定可能であるし、インモールド植毛や熱融着植毛やそれに類して平線を用いない植毛方式であったりして、ヘッド部１の植毛面３の第1の植毛穴４、第２の植毛穴５が明確でない場合には、ヘッド部１の植毛面３の毛束根元部の外周を滑らかに結んだ形状を基準に測定するか、あるいは、平線を用いない植毛工程においてヘッド部１に固定する際に、毛束を保持するための治具の穴断面積を用いてもよい。
【００３１】
毛束をヘッド部１の植毛面３に植設する方法としては、従来技術の方法でヘッド部１に固定することができ、例えば平線（真鍮、ステンレス、硬質樹脂、などの抜け止め部材）で毛束を２つ折りにして植毛する平線植毛、毛束の一端を熱などの手段により結合し、結合部が金型内にある状態でヘッド部１に樹脂を充填し固定するインモールド植毛（例えば、特開昭６１−２６８２０８、特表平９−５１２７２４などを参照）、毛束の一端とヘッド部１を熱などの手段で溶融結合する熱融着植毛（例えば、特開昭６０−２４１４０４を参照）などで行うことができる。
【００３２】
ヘッド部１の植毛面３から、鉛直方向に刷毛先端までの距離としての毛丈は、毛束仕様や刷毛仕様によって使用感、耐久性、清掃効果などを考慮して適宜選択されるが、一般には６〜１２ｍｍの範囲が好ましく、大人用には８〜１２ｍｍがより好ましく、子供用には６〜１０ｍｍがより好ましい。
【００３３】
毛束の毛切り形状については、一般的には平面状の平切り、頂部のある山切り、平面状高さの複数ある断切りなど適宜選択されればよいが、先端部領域Ｘにおける第１の毛束６の毛切り形状は、ヘッド部１の長手方向において一条の山部を形成するように毛束の先端を剪定した山切り形状を有し、領域Ｙにおける第２の毛束７の毛切り形状が、前記山部を形成する毛束の最短の毛丈に合わせて毛束の先端を平らに剪定した平切り形状を有することが好ましい。
前記山部の高低差は、０．５〜２．０ｍｍの範囲であることが好ましく、より好ましくは１．０〜１．５ｍｍの範囲である。
【００３４】
以上のように、本発明の歯ブラシでは、先端部領域Ｘにおける第１の毛束６の毛丈が、領域Ｙにおける第２の毛束７の毛丈よりも長く、かつ山切り形状を有することで、臼歯咬合面のくぼみにフィットし、臼歯遠心面にも効率良く毛先が到達することが可能になる。
また、カッター形状の工夫や複数回の毛切り工程や毛分け装置の使用などにより、様々な形状の組み合わせとすることもでき、通常はそれぞれの毛先部分が毛先丸め処理されている。また、テーパー毛で毛切り工程を経ない場合もあり、その場合には毛先丸め処理を行わなくてもよい。
【００３５】
第１および第２の毛束６，７を構成する刷毛は、歯ブラシとして用いることが可能であれば特に限定されることはなく、従来用いられているナイロンやポリブチレンテレフタレート（ＰＢＴ）、ポリトリメチレンテレフタレート（ＰＴＴ）などを用いることができる。
刷毛断面を多層構造とするには、通常使用されているポリアミド（ナイロン６−１２、ナイロン６−１０、１２ナイロンなど）、ポリエステル（ポリエチレンテレフタレート、ＰＢＴ、ＰＴＴなど）、ポリプロピレンなどの硬質樹脂や熱可塑性エラストマーのような軟質樹脂を用い、同一素材あるいは互いに組み合わせた複合フィラメントとしてもよい。
【００３６】
刷毛樹脂の着色については、透明（ナチュラル）のまま用いてもよく、また顔料や染料による透明系着色刷毛あるいは、不透明着色（白を含む）刷毛などが歯ブラシの外観の商品性を考慮して適宜選択される。必要に応じて、それらを２種あるいはそれ以上を、毛束単位や毛束内で組み合わせて使用してもよく、また、同一刷毛の断面を多重芯鞘構造とする場合には、部分的に異なる素材や着色のものと組み合わせて用いることもできる。
【００３７】
また、刷毛の特性を損なわない範囲内で、熱や光に対する安定化剤、難燃剤、フィラー、表面潤滑剤、帯電防止剤、殺菌素材（抗菌素材）など、さらには、他の硬質樹脂やエラストマーを適宜配合したり塗布したりしてもよい。刷毛の太さは、使用感、清掃機能や耐久性の点から、３〜１２ｍｉｌ（１ｍｉｌ＝１/１０００ｉｎｃｈ、０．０７〜０．３１ｍｍ）が一般的で、好ましくは５〜１１ｍｉｌ（０．１２〜０．２８ｍｍ）であり、大人用には８〜１１ｍｉｌがより好ましく、子供用には６〜８ｍｉｌがより好ましい。
刷毛先端が細くなった高度テーパー毛（テーパー部の先端径１０〜８０μｍ程度）の場合、テーパーの施されていない植毛側の刷毛径を０．１２〜０．３０ｍｍとするのが好ましい。
【００３８】
刷毛の断面形状は、通常は円形であるが、楕円形であったり、三角形、四角形、五角形、六角形などや不均一な辺長さのものも含めた様々な多角形であったり、部分的にくぼみのある形状として、星型、三つ葉や四つ葉のクローバー形など、直線や曲線の様々な組み合わせ形状であってもよく、必要に応じて任意の形状が選択されるが、物理的強度の面からは断面円形であるとバランスが取れていて好ましい。
【００３９】
通常は毛先丸め部を除いて１本の刷毛内では同一径であるが、刷毛の長軸方向へ向けてあるピッチで捻られていてもよいし、ウェーブ処理、クリンプ処理を加えるなどしてもよく、毛束の根元付近では前記した刷毛太さであって、刷毛先端へ向かうに従って徐々に径が細くなる高度テーパー毛の形態（例えば、先端部分の径が０．０１〜０．０８ｍｍ）であってもよい。また、刷毛部の先端形状を加工により、ヘラ状、スクレイパー状、球状などとしてもよい。
【実施例】
【００４０】
以下に実施例と比較例を示して本考案をさらに詳しく説明するが、本考案はこの実施例に限定されるものではない。
「実施例１」
実施例１では、図１、図２、図３に示される本考案の歯ブラシ（Ａ）を作製した。
具体的には、ヘッド部１の先端部領域Ｘにおける第1の植毛穴４の直径１．０ｍｍ、それ以外の領域Ｙの第２の植毛穴５を直径１．６ｍｍとし、各領域の植密度をそれぞれρＸ＝６０％、ρＹ＝３７％とした。植密度比Ｒは下記数式（５）によって求められ、
Ｒ＝ρＸ/ρＹ・・・（５）
Ｒ＝１．６２である。
刷毛径は、両領域とも直径０．２ｍｍのものを用い、先端部領域Ｘにおける第１の毛束６の毛切り形状を高低差１ｍｍの山切りとした。
【００４１】
「比較例１」
比較例１では、図４に示されるような歯ブラシ（Ｂ）を作製した。
具体的には、先端部領域Ｘがヘッド部１の最外周も含むものとし、先端部領域Ｘの植毛穴を全て、第２の植毛穴５よりも大径とされた第３の植毛穴８とした。第３の植毛穴８の直径は２．８ｍｍとし、領域Ｙにおける第２の植毛穴５を直径１．４ｍｍとした。各領域の植密度をそれぞれρＸ＝５５％、ρＹ＝３５％とした。植密度比Ｒは数式（５）により、同様にして求められ、Ｒ＝１．５７である。
刷毛径は、両域とも直径０．２ｍｍのものを用い、毛切り形状は前述の実施例１の歯ブラシ（Ａ）と同じく、先端部領域Ｘの第３の植毛穴８に植設された第３の毛束９を高低差１ｍｍの山切りとした。
【００４２】
「比較例２」
比較例２では、図５に示されるような歯ブラシ（Ｃ）を作製した。
具体的には、植毛面３の全体において全て直径１．６ｍｍの第２の植毛穴５を用い、植密度は植毛面全域において一様に２５％としたものである。（植密度比Ｒは１である。）
刷毛径は、両域とも直径０．２ｍｍのものを用い、毛切形状は前述の実施例の歯ブラシ（Ａ）と同じであり、山切りの高低差は同じく１ｍｍである。
【００４３】
実施例の歯ブラシ（Ａ）、比較例１の歯ブラシ（Ｂ）、および比較例２の歯ブラシ（Ｃ）について、「毛先細部への進入実感」および「先端部領域の刷掃実感」の試験を実施して以下に示すように評価した。
その結果を表１に示す。
【００４４】
【表１】
0003132251.tif 000003
【００４５】
「毛先細部への進入実感」
専門パネラー８名が使用し、以下の３段階評価によって判定した。
○・・・非常に良い。
△・・・まあ良い。
×・・・あまり良くない。
【００４６】
「先端部領域の刷掃実感」
専門パネラー８名が使用し、以下の３段階評価によって判定した。
○・・・非常に感じる。
△・・・まあ感じる。
×・・・あまり感じない。
【００４７】
表１に示す結果によれば、実施例１の歯ブラシ（Ａ）は、比較例１の歯ブラシ（Ｂ）および比較例２の歯ブラシ（Ｃ）に比べて、歯間や小窩裂溝などの細部への毛先進入実感を損なうことなく、ヘッド部先端部の力強い刷掃実感を有していることがわかる。
【００４８】
「検証」
先端部領域Ｘとそれ以外の領域Ｙの植密度比Ｒに対して、適切な範囲を検証するため、植密度比Ｒの値を０．８〜２．７の範囲で変化させ、下記の評価方法により、「毛先の細部進入実感」および「ヘッド部先端部の刷掃実感」について調べた。その他の仕様については、歯ブラシ（Ａ）と同じである。
結果を表２に示す。
【００４９】
【表２】
0003132251.tif 000004
【００５０】
＜評価方法＞
「毛先細部への進入実感」
専門パネラー８名が使用し、以下の４段階評価によって判定した。
◎・・・非常に感じる。
○・・・まあ感じる。
△・・・あまり感じない。
×・・・全く感じない。
【００５１】
「先端部領域の刷掃実感」
専門パネラー８名が使用し、以下の４段階評価によって判定した。
◎・・・非常に感じる。
○・・・まあ感じる。
△・・・あまり感じない。
×・・・全く感じない。
【００５２】
表２に示す結果によれば、植密度比Ｒの範囲は、１．１≦Ｒ≦２．５の範囲とするのが良い。１．２≦Ｒ≦２．３の範囲であることが好ましく、より好ましくは１．５≦Ｒ≦２．０の範囲である。
【図面の簡単な説明】
【００５３】
【図１】図１は、本考案の歯ブラシの一例を説明するための平面図である。
【図２】図２は、図１に示す本考案の歯ブラシの一例を説明するための側面図である。
【図３】図３は、図１における植毛面の構成を説明するための平面図である。
【図４】図４は、比較例１としての歯ブラシ（Ｂ）の一例を説明するための図であり、図４（ａ）はその平面図、図４（ｂ）はその側面図である。
【図５】図６は、比較例２としての歯ブラシ（Ｃ）の一例を説明するための図であり、図５（ａ）はその平面図、図５（ｂ）はその側面図である。
【符号の説明】
【００５４】
１・・・ヘッド部、２・・・首部、３・・・植毛面、４・・・第１の植毛穴、５・・・第の植毛穴、６・・・第1の毛束、７・・・第２の毛束
Ｘ・・・先端部領域
【図１】
0003132251.tif 000005
【図２】
0003132251.tif 000006
【図３】
0003132251.tif 000007
【図４】
0003132251.tif 000008
【図５】
0003132251.tif 000009
【手続補正書】
【提出日】平成19年3月27日(2007.3.27)
【手続補正１】
【補正対象書類名】実用新案登録請求の範囲
【補正対象項目名】全文
【補正方法】変更
【補正の内容】
【実用新案登録請求の範囲】
【請求項１】
植毛面に複数の植毛穴が設けられたヘッド部を備え、この植毛面の各植毛穴に刷毛の毛束が植毛されてなる歯ブラシであって、
前記植毛面には先端部領域が設けられ、この先端部領域は、前記ヘッド部植毛面の最外周部に穿設された植毛穴よりも内側の領域、且つ、前記ヘッド部植毛面の中央よりも先端側に偏倚した位置にあり、
前記先端部領域に穿設された植毛穴は、前記先端部領域を除く領域に穿設された植毛穴よりも小さく、直径が０．８〜１．４ｍｍの範囲にあり、
前記先端部領域の植密度をρＸとし、前記先端部領域を除く領域の植密度をρＹとし、植密度比をＲ（＝ρＸ/ρＹ）としたときに、
５０％≦ρＸ≦７０％、
３０％≦ρＹ≦６０％、
１．１≦Ｒ≦２．５
の関係を満足することを特徴とする歯ブラシ。
【請求項２】
前記ヘッド部の長手方向において、前記先端部領域の長さをＬ１とし、前記先端部領域よりも後端側位置する後端部領域の長さをＬ２としたときに、その長さの比ＲＬ（＝Ｌ１/Ｌ２）が、
０．５≦ＲＬ≦１．０
の関係を満足することを特徴とする請求項１に記載の歯ブラシ。
【請求項３】
前記先端部領域における毛切り形状が、前記ヘッド部の長手方向において一条の山部を形成するように毛束の先端を剪定した山切り形状を有し、
前記先端部領域を除く領域における毛切り形状が、前記山部を形成する毛束の最短の毛丈に合わせて毛束の先端を平らに剪定した平切り形状を有することを特徴とする請求項１または２記載の歯ブラシ。
【手続補正２】
【補正対象書類名】明細書
【補正対象項目名】０００８
【補正方法】変更
【補正の内容】
【０００８】
上記課題を解決するために、本考案の請求項１に係る歯ブラシは、植毛面に複数の植毛穴が設けられたヘッド部を備え、この植毛面の各植毛穴に刷毛の毛束が植毛されてなる歯ブラシであって、前記植毛面には先端部領域が設けられ、この先端部領域は、前記ヘッド部の最外周部に穿設された植毛穴の内側、且つ、前記ヘッド部の中央よりも先端側に偏倚した位置にあり、前記先端部領域に穿設された植毛穴は、前記先端部領域を除く領域に穿設された植毛穴よりも小さく、直径が０．８〜１．４ｍｍの範囲にあり、前記先端部領域の植密度をρＸとし、前記先端部領域を除く領域の植密度をρＹとし、植密度比をＲ（＝ρＸ/ρＹ）としたときに、
５０％≦ρＸ≦７０％、
３０％≦ρＹ≦６０％、
１．１≦Ｒ≦２．５
の関係を満足することを特徴とする。